Podtech/llm-jp-corpus-v4-ja_patent huggingface dataset:
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
耐火性鋳型であって、
長手方向軸の周囲に配置されているスプルー壁を含む中空スプルーと、前記スプルー壁の外側に配置されている複数の模型と、前記スプルー壁と前記模型との間に取り付けられているとともにその間に延びている、外側に延在する複数のゲートと、を備えている消失性模型組立体であって、前記中空スプルーは、複数の接合された模型セグメントを含んでおり、各模型セグメントは、前記スプルー壁の軸方向に延びる又は周方向に延びる模型セクションと、前記スプルー壁の模型セクションから離間している模型と、前記スプルー壁の模型と模型セクションとの間に取り付けられるとともにその間に延びているゲートとを含んでおり、前記中空スプルー、前記模型及び前記ゲートはそれぞれ消失性材料から形成されている、消失性模型組立体と、
前記消失性模型組立体の外面によって画定される鋳型キャビティに形成されているとともに鋳型キャビティを有する耐火性鋳型と、
を備えている、耐火性鋳型。
【請求項２】
前記消失性模型組立体は、端に近接して配置されているランナを更に備えており、前記耐火性鋳型は、前記ランナの外面にも形成されているとともに、前記鋳型キャビティのランナ部分を含んでいる、請求項１に記載の耐火性鋳型。
【請求項３】
前記ランナは、前記スプルー壁の内面内に配置されているとともに前記スプルー壁の内面に取り付けられている、請求項２に記載の耐火性鋳型。
【請求項４】
前記ランナは前記スプルー壁の下側端に近接して配置されている、請求項２に記載の耐火性鋳型。
【請求項５】
前記ランナは複数の外側に延びているスポークを備え、各スポークは前記スプルー壁の内面に取り付けられている、請求項２に記載の耐火性鋳型。
【請求項６】
前記中空スプルーは中空の円筒形スプルーを備えている、請求項２に記載の耐火性鋳型。
【請求項７】
前記模型は、前記中空スプルーの外面の周囲に配置されている複数の模型を備えている、請求項２に記載の耐火性鋳型。
【請求項８】
前記模型組立体は、
前記スプルー壁の内側に配置される第２の模型と、
前記スプルー壁と前記第２の模型との間に取り付けられているとともにその間に延びている、内側に延在する第２のゲートと、を更に備えており、前記第２の模型及び前記第２のゲートもそれぞれ第２の消失性材料から形成されており、前記耐火性鋳型は前記第２の模型及び前記第２のゲートの外面にも形成されており、前記鋳型キャビティの第２の部分を備えている、請求項２に記載の耐火性鋳型。
【請求項９】
前記消失性材料は、ワックス、ポリマー、金属、セラミック、粘土、木若しくは無機材料、又はそれらの組み合わせを含んでいる、請求項１に記載の耐火性鋳型。
【請求項１０】
前記耐火性鋳型は、乾燥耐火性スラリの複数の層を有する鋳型壁を備えている、請求項１に記載の耐火性鋳型。
【請求項１１】
前記乾燥耐火性スラリは、ジルコン、溶融シリカ、シリカ、アルミノケイ酸塩、ムライト若しくは溶融アルミナ、又はそれらの組み合わせを含んでいる、請求項１０に記載の耐火性鋳型。
【請求項１２】
前記鋳型壁は、３．０４８ｍｍ（０．１２インチ）未満の厚さを有している、請求項１０に記載の耐火性鋳型。
【請求項１３】
前記鋳型壁はガス透過性である、請求項１０に記載の耐火性鋳型。
【請求項１４】
耐火性鋳型を製造する方法であって、
長手方向軸の周囲に配置されるスプルー壁を含む中空スプルーと、前記スプルー壁の外側に配置される複数の模型と、前記スプルー壁の外面と前記模型との間に取り付けられるとともにその間に延びる、外側に延在する複数のゲートと、を備える消失性模型組立体を形成することと、前記中空スプルーは、複数の接合された模型セグメントを含んでおり、各模型セグメントは、前記スプルー壁の軸方向に延びる又は周方向に延びる模型セクションと、前記スプルー壁の模型セクションから離間している模型と、前記スプルー壁の模型と模型セクションとの間に取り付けられるとともにその間に延びているゲートとを含んでおり、前記中空スプルー、前記模型及び前記ゲートはそれぞれ消失性材料から形成され、
前記消失性模型組立体の外面に耐火性鋳型を堆積させることと、を含み、前記耐火性鋳型は、前記消失性模型組立体の外面によって画定される鋳型キャビティを有する、方法。
【請求項１５】
前記耐火性鋳型を加熱して前記消失性模型組立体を除去するか若しくは前記耐火性鋳型を焼結させること、又はそれらの組み合わせを更に含む、請求項１４に記載の方法。
【請求項１６】
前記模型組立体を形成することは、
ランナを消失性材料から形成することと、
前記中空スプルーの端に近接して前記ランナを接合することと、を更に含み、前記ランナは前記長手方向軸の周囲に配置されるとともに前記スプルー壁に接合される、請求項１４に記載の方法。
【請求項１７】
前記耐火性鋳型を堆積させることは、耐火性材料の複数の層を形成することを含む、請求項１４に記載の方法。
【請求項１８】
耐火性材料の複数の層を形成することは、
前記消失性模型組立体を耐火性材料を含むスラリに浸漬させ、スラリ層を形成することと、
前記スラリを乾燥させて乾燥スラリ層を形成することと、を含む、請求項１７に記載の方法。
【請求項１９】
浸漬及び乾燥を繰り返して複数のスラリ層を形成することを更に含む、請求項１８に記載の方法。
【請求項２０】
前記耐火性材料は、ジルコン、溶融シリカ、シリカ、アルミノケイ酸塩、ムライト若しくは溶融アルミナ、又はそれらの組み合わせを含む、請求項１８に記載の方法。
【請求項２１】
前記スラリは、ガス透過性の耐火性鋳型を提供するように選択される、請求項１８に記載の方法。
【請求項２２】
耐火性鋳型を製造する方法であって、
粒子状耐火性材料を３Ｄプリントして鋳型キャビティを含む耐火性鋳型を形成することを含み、前記鋳型及び前記鋳型キャビティは、長手方向軸の周囲に配置されるスプルー壁を含む中空スプルー部分と、前記スプルー壁の外側に配置される模型部分と、前記スプルー壁の外面と前記模型部分との間に取り付けられるとともにその間に延びる、外側に延在するゲート部分と、を含む、方法。
【請求項２３】
前記耐火性材料を加熱して前記耐火性鋳型を焼結させることを更に含む、請求項２２に記載の方法。
【誤訳訂正書】
【提出日】平成28年7月11日(2016.7.11)
【誤訳訂正１】
【訂正対象書類名】特許請求の範囲
【訂正対象項目名】全文
【訂正方法】変更
【訂正の内容】
【特許請求の範囲】
【請求項１】
複数のアクティブ両面フェーズドアレー（ＡＰＡｓ）を有するレシーバー／トランスミッターであって、トランスミッター／レシーバーモジュールを有し、各トランスミッター／レシーバーモジュールは、２個の放射素子、トランスミッター、２個のレシーバー、２個の絶縁スイッチ、ミキサー、移相器を備え、前記複数のアクティブ両面フェーズドアレーは、一次元または二次元として製作され、これらは全方位の監視が継続的に可能となるように、水平面とのなす角度が７５〜１０５度になるように配置され、トランスミッター／レシーバーモジュールには追加の移相器が備えられ、前記両移相器のそれぞれは、セレクタースイッチを介して１個のレシーバーまたはトランスミッターに固定接続され、トランスミッターは、セレクタースイッチおよびサーキュレータを介して放射素子に接続され、レシーバーの受信モードの異なる周波数および符号化技術に対応して、異なる周波数および／または異なる信号符号化技術を使用することにより、放射素子への交互の接続が可能となり、互いに異なる方向に少なくとも２つの独立したビームを形成することが可能となり、前記複数のアクティブ両面フェーズドアレーは、水平面および／または垂直面に対して距離をおいてそれぞれ配置される、レシーバー／トランスミッター。
【請求項２】
請求項１に記載の複数の二次元ＡＰＡｓを有するレシーバー／トランスミッターであって、前記アクティブ両面フェーズドアレーの2つのパネルは、垂直面に対して同じ角度で配置可能である、複数の二次元ＡＰＡｓを有するレシーバー／トランスミッター。
【請求項３】
請求項１に記載の複数の二次元ＡＰＡｓを有するレシーバー／トランスミッターであって、レシーバー／トランスミッターの上部および／または下部に配置された少なくとも１系統のレーダーまたは通信ステーションに追加的に設けられ、上方向および／または下方向に放射するために、２面を走査することができるよう製作された、複数の二次元ＡＰＡｓを有するレシーバー／トランスミッター。
【請求項４】
請求項３に記載のレシーバー／トランスミッターであって、レーダーまたは通信ステーションは、二次元アクティブ片面フェーズドアレーとして製作される、レシーバー／トランスミッター。
【請求項５】
請求項３に記載のレシーバー／トランスミッターであって、レーダーまたは通信ステーションは、請求項１のトランスミッター／レシーバーモジュールを備えた二次元アクティブ両面フェーズドアレーとして製作され、水平面および垂直面に対して、複数のレシーバー／トランスミッターを距離をおいてそれぞれ配置した、レシーバー／トランスミッター。
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
Ｌ−アルギニン、ウンデシレン酸およびダイオウ（Rheum Officinale）抽出物、またはそれらの薬学的に許容される塩を含有する、治療配合物（compound）。
【請求項２】
Ｌ−アルギニン含有量が、約５% w/v〜５００% w/vである、請求項１の配合物（compound）。
【請求項３】
ウンデシレン酸含有量が、約２% v/v〜５０% v/vである、請求項１の配合物（compound）。
【請求項４】
ダイオウ（Rheum Officinale）抽出物の含有量が、約０．０２５% w/v〜２．５% w/vである、請求項１の配合物（compound）。
【請求項５】
Ｌ−アルギニン含有量が約５０% w/vであり、ウンデシレン酸含有量が約２０% v/vであり、ダイオウ（Rheum Officinale）抽出物の含有量が約０．２５% w/vである、請求項１の配合物（compound）。
【請求項６】
さらに、冷感剤または温感剤を含有する、請求項１の配合物（compound）。
【請求項７】
前記冷感剤がメントールである、請求項６の配合物（compound）。
【請求項８】
薬学的に許容される賦形剤、希釈剤または担体と組み合わせてなる、請求項１の配合物（compound）。
【請求項９】
前記賦形剤、希釈剤または担体が、局所適用に適する、請求項８に記載の配合物（compound）。
【請求項１０】
治療的に有効量の、Ｌ−アルギニン、ウンデシレン酸およびダイオウ（Rheum Officinale）抽出物を含有する治療配合物（compound）を含有する、疾患の治療用医薬組成物。
【請求項１１】
前記疾患が、皮膚疾患、創傷または感染である、請求項１０に記載の医薬組成物。
【請求項１２】
前記皮膚疾患が、ざ瘡、乾癬または湿疹である、請求項１１に記載の医薬組成物。
【請求項１３】
前記感染が、微生物性、ウイルス性または真菌性病原体によって生じる、請求項１１に記載の医薬組成物。
【請求項１４】
前記創傷が、火傷、切傷、刺傷または擦傷である、請求項１１に記載の医薬組成物。
【請求項１５】
Ｌ−アルギニン含有量が約５０% w/v、ウンデシレン酸含有量が約２０% v/v、およびダイオウ（Rheum Officinale）抽出物の含有量が約０．２５% w/vである、請求項１０に記載の医薬組成物。
【請求項１６】
(i)請求項１の治療配合物（compound）；および(ii)前記配合物（compound）を使用するための説明書を含有する、キット。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
皮膚の色素沈着（ｐｉｇｍｅｎｔａｔｉｏｎ）を減少する方法であって、シアリルトランスフェラーゼ活性の阻害剤、オリゴ糖形成の阻害剤、及びオリゴ糖活性の阻害剤から成る群から選択される有効量の阻害剤を対象に投与することを含む、当該方法。
【請求項２】
前記阻害剤がシアリルトランスフェラーゼ活性の阻害剤である、請求項１に記載の方法。
【請求項３】
前記阻害剤が、β−ガラクトシドα２，６’−シアリルトランスフェラーゼＩ  （ＳＴ６Ｇａｌ．Ｉ）活性の阻害剤である、請求項２に記載の方法。
【請求項４】
前記阻害剤が細胞内のＳＴ６Ｇａｌ．Ｉの発現を減少する、請求項３に記載の方法。
【請求項５】
前記阻害剤が、Ｎｅｕ５Ａｃ（α２，６）Ｇａｌ／ＧａｌＮＡｃ−含有オリゴ糖の形成を減少する、請求項１に記載の方法。
【請求項６】
前記阻害剤が、Ｎｅｕ５Ａｃ（α２，６）Ｇａｌ／ＧａｌＮＡｃ−含有オリゴ糖の活性の阻害剤である、請求項１に記載の方法。
【請求項７】
前記阻害剤が、核酸、ｓｉＲＮＡ、アンチセンス核酸、リボザイム、ペプチド、低分子、アンタゴニスト、アプタマー、及びペプチド模倣物（ｐｅｐｔｉｄｏｍｉｍｅｔｉｃ）から成る群から選択される、請求項１に記載の方法。
【請求項８】
前記阻害剤が表１に列挙された阻害剤から選択される、請求項１に記載の方法。
【請求項９】
前記阻害剤が表２に列挙された阻害剤から選択される、請求項１に記載の方法。
【請求項１０】
前記阻害剤が、シチジン、シチジン一リン酸（ＣＭＰ）、シチジン一リン酸Ｎ−アセチルノイラミン酸、６’−シアリルガラクトース、６’−シアリルＮ−アセチルガラクトサミン、６’−シアリルラクトース、３’−シアリルラクトース、及びＮ−アシル−ノイラミニルから成る群から選択される阻害剤である、請求項１に記載の方法。
【請求項１１】
前記阻害剤がシチジン又はその類似体である、請求項１に記載の方法。
【請求項１２】
２つ以上の阻害剤を含有する、請求項１に記載の方法。
【請求項１３】
請求項１に記載の方法であって、以下：
シアリルトランスフェラーゼ活性の阻害剤、オリゴ糖形成の阻害剤、及びオリゴ糖活性の阻害剤から成る群から選択される第一の阻害剤を含有する第一の組成物を投与する工程；及び
シアリルトランスフェラーゼ活性の阻害剤、オリゴ糖形成の阻害剤、及びオリゴ糖活性の阻害剤から成る群から選択される第二の阻害剤を含有する第二の組成物を投与する工程；
を含む、当該方法。
【請求項１４】
対象の皮膚に前記組成物を投与することを含む、請求項１に記載の方法。
【請求項１５】
前記対象が、皮膚の少なくとも一部の領域における色素過剰を有する、請求項１に記載の方法。
【請求項１６】
メラニン生産を阻害する、請求項１に記載の方法。
【請求項１７】
対象のメラノサイトから対象のケラチノサイトへのメラノソームの移動を阻害する、請求項１に記載の方法。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
自動車用のロック用デバイス（１）において、
ステアリングホイールコラム（３）内でステアリングホイールシャフトをロックするためのブロック用かんぬき（２）を備え、
前記ブロック用かんぬきが、第１の位置（２’）と第２の位置（２’’）との間で可動であり、
前記第１の位置（２’）において、前記ブロック用かんぬきが前記ステアリングホイールシャフトと制止係合状態にあり、
前記第２の位置（２’’）において、前記ブロック用かんぬきが前記ステアリングホイールシャフトから離脱し、
復帰要素（４）が、前記第１の位置（２’）に前記ブロック用かんぬき（２）を戻すために設けられ、
前記復帰要素（４）が、少なくとも１つの保護カバー（５）によって少なくとも部分的に覆われ、
前記復帰要素（４）がねじりばねであり、前記ねじりばねが、コイル本体（８）及び接続フック（９）を有するコイルばね（４）であり、フック伸長部が、前記ブロック用かんぬき（２）の開口（１５）に挿入され、かつ前記ブロック用かんぬき（２）によって少なくとも部分的に覆われる前記ねじりばね（４）の第１の端部分（１４）を有し、前記ねじりばね（４）の第２の端部分（１７）が、前記コイル本体（８）から、前記ステアリングホイールコラム（３）のフレーム（１２）内に形成された中央保持ピン（１９）の開口内に延在することを特徴とする、ロック用デバイス。
【請求項２】
伝動手段（６）を有する駆動装置（６）が前記ブロック用かんぬき（２）を前記第１の位置（２’）から前記第２の位置（２’’）に移動させるために設けられ、前記伝動手段（６）が、前記復帰要素（４）を少なくとも部分的に覆うために保護カバー（５）を備えることを特徴とする、請求項１に記載のロック用デバイス。
【請求項３】
前記伝動手段が、伝動要素としての回動可能アーム（７）及び前記復帰要素（４）を少なくとも部分的に覆うために保護カバー（５）を備えることを特徴とする、請求項１又は２に記載のロック用デバイス。
【請求項４】
少なくとも１つの更なる保護カバー（１０，１１）が、前記コイル本体（８）を少なくとも部分的に覆うために設けられることを特徴とする、請求項１〜３のいずれか１項に記載のロック用デバイス。
【請求項５】
前記更なる保護カバー（１０，１１）が、前記ステアリングホイールコラム（３）のフレーム（１２）内に形成されることを特徴とする、請求項１〜４のいずれか１項に記載のロック用デバイス。
【請求項６】
前記コイルばね（４）のフック（９）が、前記コイル本体（８）から前記ブロック用かんぬき（２）まで突出し、かつ前記回動可能アーム（７）によって少なくとも部分的に覆われるフック伸長部（１３）を有することを特徴とする、請求項１〜５のいずれか１項に記載のロック用デバイス。
【請求項７】
前記回動可能アーム（７）が、前記ブロック用かんぬき（２）用の誘導及び保持要素（１６）を少なくとも部分的に覆うことを特徴とする、請求項３〜６のいずれか１項に記載のロック用デバイス。
【請求項８】
前記誘導及び保持要素（１６）が、前記ステアリングホイールコラム（３）のフレーム（１２）内に形成された中空プロファイルであることを特徴とする、請求項７に記載のロック用デバイス。
【請求項９】
前記伝動アーム（７）及び少なくとも１つの更なる保護カバー（１１）が、前記復帰要素（４）を囲み保護することを特徴とする、請求項１〜８のいずれか１項に記載のロック用デバイス。
【請求項１０】
前記かんぬき（２）が、前記回動可能アーム（７）が配置される凹所（２０）を有することを特徴とする、請求項１〜３、７、９のいずれか１項に記載のロック用デバイス。
【請求項１１】
前記誘導及び保持要素（１６）が、前記回動可能アーム（７）が配置される凹所（２１）を有することを特徴とする、請求項１〜３、７〜１０のいずれか１項に記載のロック用デバイス。
【手続補正２】
【補正対象書類名】明細書
【補正対象項目名】０００１
【補正方法】変更
【補正の内容】
【０００１】
本発明は、請求項１の最初の部分による自動車用のロック用デバイスに関する。
乗物のステアリングホイールコラムをロックするためのロック用デバイスは、従来技術、例えば、ＤＥ１００１７０３２Ａ１、ＤＥ１０２００６０５７３５６Ａ1、及びＤＥ１０２００７０４１６２０Ａ1においてよく知られている。そのようなロック用デバイスが、ＷＯ２０１１／１０４０１７Ａ１において開示されている。このロック用デバイスにおいて、ブロック用かんぬき（ｂｌｏｃｋｉｎｇ  ｂｏｌｔ）は、ステアリングホイールコラム内でステアリングホイールシャフトをロックするため、第１の位置と第２の位置との間で可動である。第１の位置において、ブロック用かんぬきが、ステアリングホイールシャフトと制止係合状態にされ、第２の位置において、ステアリングホイールシャフトから離脱される。ロック用デバイスは、ブロック用かんぬきを移動させるための、ハウジング内に位置する駆動装置を更に有する。ブロック用かんぬきは、ステアリングホイールコラムの一部であり、特に、ステアリングホイールコラム内に一体化される。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
強化パッケージであって、
開放端部と閉鎖端部と製品保持用の内部空間とを有し、該内部空間が減少する非起立位置と、該内部空間が増大する起立位置とに配置可能である袋と、
前記袋に取り付けられるとともに、前記袋の前記閉鎖端部を少なくとも部分的に収めるように構成されている複数のパネルを有する強化スリーブであって、前記複数のパネルは、フロントパネルと、該フロントパネルに折曲可能につながっている第１のサイドパネルと、前記フロントパネルに折曲可能につながっている第２のサイドパネルと、前記第１のサイドパネルに折曲可能につながっている第３のサイドパネルと、前記第２のサイドパネルに折曲可能につながっている第４のサイドパネルと、前記第３のサイドパネルに折曲可能につながっている第１のバックパネルと、前記第４のサイドパネルに折曲可能につながっている第２のバックパネルとを含む、強化スリーブと、
を備え、
前記フロントパネルは第１の接着剤領域を有し、前記第１のバックパネルは第２の接着剤領域を有し、前記第２のバックパネルは第３の接着剤領域を有し、前記第１の接着剤領域の部分と前記第２の接着剤領域の部分と前記第３の接着剤領域の部分とは、前記袋の外面に固着されており、前記強化スリーブは、前記袋を前記起立位置に維持するように構成されており、前記袋が前記起立位置に配置される場合、前記袋の前記閉鎖端部は概して前記フロントパネルと前記バックパネルのうちの１つの方向且つ、前記強化スリーブの内部空間へ延出するように折り曲げられる、強化パッケージ。
【請求項２】
前記第１のサイドパネル及び前記第２のサイドパネルは、それぞれの弧状折曲線において前記フロントパネルに折曲可能につながっている、請求項１に記載のパッケージ。
【請求項３】
前記第１のバックパネルは、前記第２のバックパネルに少なくとも部分的に重なる、請求項１に記載のパッケージ。
【請求項４】
前記第１のサイドパネルと前記第３のサイドパネルとは、前記袋が前記起立位置に配置される場合、前記パッケージの第１の側部を形成し、前記第２のサイドパネルと前記第４のサイドパネルとは、前記袋が前記起立位置に配置される場合、前記パッケージの第２の側部を形成する、請求項１に記載のパッケージ。
【請求項５】
前記強化スリーブは、第１の縁と底縁とを更に有し、前記袋は、前記第１の縁から上方に延出する、請求項１に記載のパッケージ。
【請求項６】
前記強化スリーブは、第１の縁と底縁とを更に有し、該底縁は、前記袋が起立の
形態に配置される場合、支持部を形成し、該支持部は、表面に接触して前記パッケージを該表面上で直立姿勢に維持するものである、請求項１に記載のパッケージ。
【請求項７】
前記支持部は、前記フロントパネルの第１の縁と、前記第１のバックパネルと前記第２のバックパネルの第２の縁とを含み、前記第１の縁と前記第２の縁とは離間している、請求項６に記載のパッケージ。
【請求項８】
前記強化スリーブは、第１の縁と底縁とを更に有し、前記フロントパネルと前記第１のバックパネルと前記第２のバックパネルとは、前記パッケージの前記底縁において合一する、請求項１に記載のパッケージ。
【請求項９】
前記第１のサイドパネルは、第１の弧状折曲線において前記フロントパネルに折曲可能につながっており、前記第３のサイドパネルは、第１の直線状折曲線において前記第１のサイドパネルに折曲可能につながっており、前記第１のバックパネルは、第２の弧状折曲線において前記第３のサイドパネルに折曲可能につながっており、前記第１の弧状折曲線と前記第２の弧状折曲線とは、前記第１の直線状折曲線から離間している、請求項１に記載のパッケージ。
【請求項１０】
前記第２のサイドパネルは、第３の弧状折曲線において前記フロントパネルに折曲可能につながっており、前記第４のサイドパネルは、第２の直線状折曲線において前記第２のサイドパネルに折曲可能につながっており、前記第２のバックパネルは、第４の弧状折曲線において前記第４のサイドパネルに折曲可能につながっており、前記第３の弧状折曲線と前記第４の弧状折曲線とは、前記第２の直線状折曲線から離間している、請求項９に記載のパッケージ。
【請求項１１】
前記第１のサイドパネルは、第１の弧状折曲線において前記フロントパネルに折曲可能につながっており、前記第３のサイドパネルは、第１の直線状折曲線において前記第１のサイドパネルに折曲可能につながっており、前記第１のバックパネルは、第２の弧状折曲線において前記第３のサイドパネルに折曲可能につながっており、前記第１の弧状折曲線と前記第２の弧状折曲線とは、前記第１の直線状折曲線において交わっている、請求項１に記載のパッケージ。
【請求項１２】
前記第２のサイドパネルは、第３の弧状折曲線において前記フロントパネルに折曲可能につながっており、前記第４のサイドパネルは、第２の直線状折曲線において前記第２のサイドパネルに折曲可能につながっており、前記第２のバックパネルは、第４の弧状折曲線において前記第４のサイドパネルに折曲可能につながっており、前記第３の弧状折曲線と前記第４の弧状折曲線とは、前記第２の直線状折曲線において交わっている、請求項１１に記載のパッケージ。
【請求項１３】
前記袋は、前記開放端部に隣接する、該袋の前記内部空間へのアクセスに用いるノッチを更に有する、請求項１に記載のパッケージ。
【請求項１４】
前記袋は、前記開放端部に隣接する、該袋の前記内部空間へのアクセスに用いるフラップを更に有する、請求項１に記載のパッケージ。
【請求項１５】
前記袋は、前記第１のサイドパネル及び前記第２のサイドパネルに隣接するガセット付き側部を有する、請求項１に記載のパッケージ。
【請求項１６】
前記フロントパネルの少なくとも一部が前記袋の外面に固着される、請求項１に記載のパッケージ。
【請求項１７】
前記接着剤領域は、前記フロントパネルの自由頂端から第１の距離だけ離間しており、前記接着剤領域は、前記フロントパネルの自由底端から第２の距離だけ離間しており、前記第１の距離は前記第２の距離よりも短い、請求項１に記載のパッケージ。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
式：
【化１】
2016510767.tif 000001
の化合物１の結晶形態Ｂ。
【請求項２】
メタノールと水の混合物から得られる、又は
水和物である、又は
半水和物である、又は
非化学量論的水和物である、又は
非晶質の化合物１を実質的に含まない、又は
不純物を実質的に含まない、
請求項１に記載の結晶形態Ｂ。
【請求項３】
図１に示されたものと実質的に同様のＸ線粉末回折パターン（ＸＲＰＤ）により特徴付けられる、請求項１又は２に記載の結晶形態Ｂ。
【請求項４】
下記ピークから選択される４本以上のピークをそのＸＲＰＤパターン中に有することによって特徴付けられる、請求項１〜３のいずれか一項に記載の結晶形態Ｂ。
角度２θ（°）
１３．９４
１４．５２
１６．２７
１６．６０
１７．６２
１８．７６
１９．０２
１９．２９
１９．６４
２２．３２
２２．７７
２３．０２
２３．１６
【請求項５】
図２に示されたものと実質的に同様のラマンスペクトルにより特徴付けられる、請求項１〜４のいずれか一項に記載の結晶形態Ｂ。
【請求項６】
下記ピークから選択される特徴的なピークを有するラマンスペクトルにより特徴付けられる、請求項１〜５のいずれか一項に記載の結晶形態Ｂ。
波数（ｃｍ−１）
１６３６
１６１１
１６０４
１４４６
１４２５
１３９３
１３５５
１３４４
１０２５
７８９
７４１
【請求項７】
図３に示されたものと実質的に同様のＤＳＣサーモグラムにより特徴付けられる、請求項１〜６のいずれか一項に記載の結晶形態Ｂ。
【請求項８】
約１７６℃のピーク温度（Ｔｍａｘ）を有する吸熱のあるＤＳＣサーモグラムにより特徴付けられる、請求項１〜７のいずれか一項に記載の結晶形態Ｂ。
【請求項９】
図４に示されたものと実質的に同様のＤＶＳ等温線図により特徴付けられる、請求項１〜８のいずれか一項に記載の結晶形態Ｂ。
【請求項１０】
下記ピークから選択される特徴的なピークを有するＩＲスペクトルにより特徴付けられる、請求項１〜９のいずれか一項に記載の結晶形態Ｂ。
【表１】
2016510767.tif 000002
【請求項１１】
約１５５℃〜約１６８℃の観測される融点を有する、請求項１〜１０のいずれか一項に記載の結晶形態Ｂ。
【請求項１２】
請求項１〜１１のいずれか一項に記載の結晶形態Ｂと、任意選択で薬学的に許容される賦形剤と、を含む医薬組成物。
【請求項１３】
疾患の治療のための剤であって、請求項１〜１１のいずれか一項に記載の結晶形態Ｂを有効成分として含有する剤。
【請求項１４】
前記疾患が中枢神経系の疾患である、請求項１３に記載の剤。
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
ｉ）約０．１ｗ／ｖ％〜約２０ｗ／ｖ％のポリビニルピロリドン；
ｉｉ）約５ｗ／ｖ％〜約７０ｗ／ｖ％のポリエチレングリコール；
ｉｉｉ）約１ｗ／ｖ％〜約３０ｗ／ｖ％のプロピレングリコール；
ｉｖ）約１ｗ／ｖ％〜１０ｗ／ｖ％のグアイフェネシン；および
ｖ）約０．０１ｗ／ｖ％〜約１．０ｗ／ｖ％のフェニレフリン
を含む液体経口医薬組成物であって、
ここで、４℃で少なくとも６２日間グアイフェネシンの沈澱が目視されない、組成物。
【請求項２】
ｉ）約０．１ｗ／ｖ％〜約２０ｗ／ｖ％のポリビニルピロリドン；
ｉｉ）約５ｗ／ｖ％〜約７０ｗ／ｖ％のポリエチレングリコール；
ｉｉｉ）約１ｗ／ｖ％〜約３０ｗ／ｖ％のプロピレングリコール；
ｉｖ）約１ｗ／ｖ％〜１０ｗ／ｖ％のグアイフェネシン；および
ｖ）約０．０１ｗ／ｖ％〜約１．０ｗ／ｖ％のフェニレフリン
を含む液体経口医薬組成物であって、
さらに、ここで約４ｗ／ｖ％のグアイフェネシンおよび約０．１０ｗ／ｖ％のフェニレフリンを含む、−２０℃で１４日間グアイフェネシンの沈澱が目視されない、組成物。
【請求項３】
ｉ）約０．１ｗ／ｖ％〜約２０ｗ／ｖ％のポリビニルピロリドン；
ｉｉ）約５ｗ／ｖ％〜約７０ｗ／ｖ％のポリエチレングリコール；
ｉｉｉ）約１ｗ／ｖ％〜約３０ｗ／ｖ％のプロピレングリコール；
ｉｖ）約１ｗ／ｖ％〜１０ｗ／ｖ％のグアイフェネシン；および
ｖ）約０．０１ｗ／ｖ％〜約１．０ｗ／ｖ％のフェニレフリン
を含む液体経口医薬組成物であって、
ここで、約４ｗ／ｖ％のグアイフェネシンおよび約０．１０ｗ／ｖ％のフェニレフリンを含む、４０℃および７５％相対湿度で保管しながら３カ月の期間にわたって測定して、フェニレフリンの重量に対する重量パーセントとして約２％未満の全フェニレフリン分解物、および初期の全フェニレフリン含有量からの約２％未満のフェニレフリンの減少を含む、液体経口医薬組成物。
【請求項４】
経口液体組成物を調製するプロセスであって、
ａ）約０．１ｗ／ｖ％〜約２０ｗ／ｖ％のポリビニルピロリドンを、水性相に溶解するまで混合するステップと；
ｂ）約１ｗ／ｖ％〜約２０ｗ／ｖ％の少なくとも１種の医薬剤を添加し、混合するステップと；
ｃ）続いて、
ｉ）水；
ｉｉ）約１ｗ／ｖ％〜約３０ｗ／ｖ％のプロピレングリコール；
ｉｉｉ）約５ｗ／ｖ％〜約７０ｗ／ｖ％のポリエチレングリコール
を添加し、混合するステップと；
ｄ）続いて、１種または複数の追加成分を添加し、混合するステップと
を含むプロセス。
【請求項５】
４０℃および７５％相対湿度で保管しながら３カ月の期間にわたって測定して、フェニレフリンの重量に対する重量パーセントとして約２％未満の全フェニレフリン分解物、および初期の全フェニレフリン含有量からの約２％未満のフェニレフリンの減少を含む、請求項４に記載のプロセス。
【請求項６】
前記組成物に４℃で少なくとも６２日間グアイフェネシンの沈澱が目視されない、請求項４に記載のプロセス。
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
式(Ia)で示されたピリドピリミジンあるいはピリミドピリミジン系化合物またはその異性体またはその薬学的に許容可能な塩、エステル、プロドラッグまたは溶媒和物
【化７３】
2016510042.tif 000001
[このうち、
R1とR2は、それぞれ独立に、3-オキサ-8-アザビシクロ[3.2.1]オクタノイル、8-オキサ-3-アザビシクロ[3.2.1]オクタノイルまたはNRARBであり、そしてR1とR2の少なくとも一
つは、3-オキサ-8-アザビシクロ[3.2.1]オクタノイルまたは8-オキサ-3-アザビシクロ[3.2.1]オクタノイルであり、
このうち、RAとRBは、それぞれ独立に、H、非置換またはC1-C6アルコキシ基或いはハロゲンで置換されたC1-C6アルキル基、非置換またはハロゲンで置換されたC1-C6アルコキシ基であり、或いは、RA及びRBとそれらを連結したNとともに、非置換またはC1-C6アルキル基、C1-C6アルコキシ基またはハロゲンで置換された4〜8個の環原子を含む含窒素飽和複
素環が形成され、前記含窒素飽和複素環はピペリジン環、モルホリン環、ピペラジン環、N-メチルピペラジン環、ホモモルホリン環またはホモピペラジン環が含まれ、
R3は、
【化７３−２】
2016510042.tif 000002
であり、このうち、RCは、HまたはC1-C3アルキル基である]。
【請求項２】
R1とR2は、それぞれ独立に、3-オキサ-8-アザビシクロ[3.2.1]オクタノイル、8-オキサ-3-アザビシクロ[3.2.1]オクタノイルまたはNRARBであり、そしてR1とR2の少なくとも一
つは、3-オキサ-8-アザビシクロ[3.2.1]オクタノイルまたは8-オキサ-3-アザビシクロ[3.2.1]オクタノイルであり、
このうち、RAとRBは、それぞれ独立に、H、非置換またはC1-C3アルコキシ基、ハロゲンで置換されたC1-C3アルキル基、非置換またはハロゲンで置換されたC1-C3アルコキシ基、或いは、RA及びRBとそれらを連結したNとともに、非置換またはC1-C3アルキル基、C1-C3
アルコキシ基またはハロゲンで置換された6〜7個の環原子を含む含窒素飽和複素環が形成される
請求項１に記載のピリドピリミジンあるいはピリミドピリミジン化合物またはその異性体またはその薬学的に許容可能な塩、エステル、プロドラッグまたは溶媒和物。
【請求項３】
R1とR2は、それぞれ独立に、3-オキサ-8-アザビシクロ[3.2.1]オクタノイル、8-オキサ-3-アザビシクロ[3.2.1]オクタノイルまたはNRARBであり、そしてR1とR2の少なくとも一
つは、3-オキサ-8-アザビシクロ[3.2.1]オクタノイルまたは8-オキサ-3-アザビシクロ[3.2.1]オクタノイルであり、
このうち、RA及びRBはそれらを連結したNとともに、非置換またはC1-C3アルキル基、C1-C3アルコキシ基またはハロゲンで置換されたモルホリン環を形成する
請求項１に記載のピリドピリミジンあるいはピリミドピリミジン化合物またはその異性体またはその薬学的に許容可能な塩、エステル、プロドラッグまたは溶媒和物。
【請求項４】
R1は、
【化７４】
2016510042.tif 000003
であり、R2は
【化７５】
2016510042.tif 000004
であり、或いは、R2は
【化７６】
2016510042.tif 000005
であり、R1は
【化７７】
2016510042.tif 000006
である
請求項１に記載のピリドピリミジンあるいはピリミドピリミジン化合物またはその異性体またはその薬学的に許容可能な塩、エステル、プロドラッグまたは溶媒和物。
【請求項５】
Rcは、Hまたはメチルである
請求項１に記載のピリドピリミジンあるいはピリミドピリミジン化合物またはその異性体またはその薬学的に許容可能な塩、エステル、プロドラッグまたは溶媒和物。
【請求項６】
式(I)で示される化合物は、
【化８０−１】
2016510042.tif 000007
【化８０−２】
2016510042.tif 000008
からなる群から選択される化合物である
請求項１に記載のピリドピリミジンあるいはピリミドピリミジン化合物またはその異性体またはその薬学的に許容可能な塩、エステル、プロドラッグまたは溶媒和物。
【請求項７】
PI3K-AKT-mTORシグナル伝達経路の機能不全による疾患または病状の治療における請求
項1〜6のいずれか一項に記載のピリドピリミジンあるいはピリミドピリミジン化合物またはその異性体またはその薬学的に許容可能な塩、エステル、プロドラッグまたは溶媒和物を含む、mTOR阻害剤としての組成物。
【請求項８】
前記PI3K-AKT-mTORシグナル伝達経路の機能不全による疾患または病状は腫瘍である請
求項7に記載の組成物。
【請求項９】
治療的有効量の請求項1-6のいずれか一項に記載のピリドピリミジンあるいはピリミド
ピリミジン化合物またはその異性体またはその薬学的に許容可能な塩、エステル、プロドラッグまたは溶媒和物、および任意選択で薬学的に許容可能な担体または賦形剤を含む薬剤組成物。
【請求項１０】
治療的有効量の請求項1-6のいずれか一項に記載のピリドピリミジンあるいはピリミド
ピリミジン化合物またはその異性体またはその薬学的に許容可能な塩、エステル、プロドラッグまたは溶媒和物、および任意選択で薬学的に許容可能な担体または賦形剤を含むmTOR阻害剤。
【請求項１１】
R1は
【化８０−３】
2016510042.tif 000009
である、
請求項１に記載の化合物またはその異性体またはその薬学的に許容可能な塩、エステル、プロドラッグまたは溶媒和物。
【請求項１２】
R２は
【化８０−４】
2016510042.tif 000010
からなる群から選択される、
請求項１に記載の化合物。
【請求項１３】
【化８０−５】
2016510042.tif 000011
からなる群から選択される、
請求項１に記載の化合物。
【請求項１４】
前記化合物は、
【化８０−６】
2016510042.tif 000012
からなる群から選択される、
請求項９に記載の薬剤組成物。
【請求項１５】
前記化合物は、
【化８０−７】
2016510042.tif 000013
からなる群から選択される、
請求項７に記載の組成物。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
低温空間のためのエアサンプリングシステムであって、
サンプリングエアをエアサンプリング装置に通すためのエアサンプリングパイプと、
低温空間からの入口ポートから低温空間の外部へ延びるサンプリング導管とを含み、
該サンプリング導管は、サンプリングパイプと接続され、
サンプリング導管は、サンプリング導管内に堆積した氷の除去のために、低温空間の外部から選択的にアクセス可能である、エアサンプリングシステム。
【請求項２】
低温空間の外部からサンプリング導管への選択的アクセス性は、（ｉ）サンプリング導管を経由した視線方向の視覚検査、そして（ｉｉ）堆積した氷を入口ポートから除去するために、サンプリング導管を経由したロッドの挿入を可能にするために、サンプリング導管の長手軸と整列している請求項１記載のエアサンプリングシステム。
【請求項３】
サンプリング導管は、略一定の断面あるいは、その下流端部からその上流端部へ、減少ではなく増加する断面を有する請求項１または２記載のエアサンプリングシステム。
【請求項４】
サンプリング導管は、アクセス開口の使用により、低温空間の外部から選択的にアクセス可能であり、アクセス開口は、アクセスハッチであり、アクセスハッチは、自動閉鎖式の構造を有する請求項１〜３のいずれかに記載のエアサンプリングシステム。
【請求項５】
サンプリングパイプは、サンプリング導管の下流端部にある接続アセンブリを介して、サンプリング導管の出口ポートと接続しており、接続アセンブリは、サンプリング導管の出口ポートから選択的に取り外し可能である請求項１〜４のいずれかに記載のエアサンプリングシステム。
【請求項６】
接続アセンブリは、接続アセンブリの接合する部分または端部において制限装着具を有し、接合する部分または端部は、サンプリング導管の出口ポートと接続可能であって、そこから選択的に取り外し可能であり、
接続アセンブリの制限装着具は、低温空間からサンプリング導管を通ってサンプリングパイプに至るサンプリングエアのフローを制限するための制限器を含む請求項５記載のエアサンプリングシステム。
【請求項７】
制限器は、サンプリング導管と接合する制限装着具の端部において小さい入口ポートを形成する孔または複数の孔で構成され、端部は孔を除いて閉止されている請求項６記載のエアサンプリングシステム。
【請求項８】
制限装着具は、接続アセンブリがサンプリング導管に正しく取り付けられた場合、閉止される１つ以上のアパーチャを含み、サンプリング導管との接続アセンブリの組立てミスの検出を可能にする請求項６または７記載のエアサンプリングシステム。
【請求項９】
制限装着具は、
サンプリング導管で封止する第１コンポーネントと、
サンプリングパイプまたはサンプリングパイプと流体連通した、コネクターパイプなどのコンポーネントで封止する第２コンポーネントと、
第１コンポーネントおよび第２コンポーネントを共に封止する締結コンポーネントとを有する装着部分を含む請求項６〜８のいずれかに記載のエアサンプリングシステム。
【請求項１０】
制限器は、装着部分と一体化または装着部分によって保持される請求項９に記載のエアサンプリングシステム。
【請求項１１】
制限器は、サンプリング導管を通るフローを予め定めたフローレートに制限するように機能する請求項６〜１０のいずれかに記載のエアサンプリングシステム。
【請求項１２】
制限器は、低温空間からサンプリングされた水蒸気が制限器で凝固するのを防止するために、低温空間から充分に遠い場所でより暖かい場所にある請求項６〜１１のいずれかに記載のエアサンプリングシステム。
【請求項１３】
低温空間は、冷凍空間である請求項１〜１２のいずれかに記載のエアサンプリングシステム。
【請求項１４】
入口ポートは、氷の堆積を防止するために、シリコーンでコートされている請求項１〜１３のいずれかに記載のエアサンプリングシステム。
【請求項１５】
サンプリングシステムは、サンプリング導管の入口ポートにおいて、ベルまたはドーム形状のノズルをさらに含む請求項１〜１４のいずれかに記載のエアサンプリングシステム。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
音声システムであって、前記音声システムは、
目標音声信号およびフィードバック信号を受信し、前記目標音声信号および前記フィードバック信号に応じた調整された音声信号を生成するように構成された音声ドライバと、
前記調整された音声信号を音響音に変換するように構成されたラウドスピーカと、
前記音声ドライバの電源入力に結合された試験信号発生器とを備え、前記試験信号発生器は、前記目標音声信号よりも高い周波数を有する試験信号を生成し、前記調整された音声信号に変動を引起こす前記音声ドライバための調整された電源を生成するために、前記音声ドライバの電源を前記試験信号を用いて調整するように構成され、試験電流を前記ラウドスピーカに流れさせ、前記音声システムはさらに、
前記ラウドスピーカに流れる前記試験電流を測定し、前記試験電流を示す電流センス信号を生成するように構成された電流検知回路と、
前記電流センス信号に応じた前記フィードバック信号を生成するように構成されたフィードバック回路とを備える、音声システム。
【請求項２】
前記電流検知回路に結合され、かつ、前記電流センス信号の振幅を示す電流振幅信号を生成するように構成された振幅検出器をさらに含み、
前記フィードバック回路は、前記電流振幅信号に応じた前記フィードバック信号を生成するように構成されている、請求項１に記載の音声システム。
【請求項３】
前記フィードバック回路は、前記電流振幅信号の値を前記フィードバック信号の値にマッピングする参照表を含む、請求項２に記載の音声システム。
【請求項４】
前記フィードバック回路は、前記電流振幅信号に対して非線形の関係を有するように前記フィードバック信号を生成する、請求項２に記載の音声システム。
【請求項５】
前記試験信号は、実質的に一定のピーク間の電圧振幅を有し、前記試験電流は、前記ラウドスピーカの振動板が変位し、前記調整された音声信号を音響音に変換する際に経時変化する、請求項１に記載の音声システム。
【請求項６】
前記調整された音声信号と前記試験信号とを結合することによって結合信号を生成するように構成された信号コンバイナ回路をさらに含み、
前記ラウドスピーカは、前記調整された音声信号に相当する前記結合信号の部分を音響音に変換し、前記試験信号に相当する前記結合信号の部分は、前記試験電流を前記ラウドスピーカに流れさせる、請求項１に記載の音声システム。
【請求項７】
前記音声ドライバは、前記目標音声信号を前記フィードバック信号と比較して、前記調整された音声信号を生成する、請求項１に記載の音声システム。
【請求項８】
前記音声ドライバは、シングルエンドドライバである、請求項１に記載の音声システム。
【請求項９】
前記音声ドライバは、差動ドライバである、請求項１に記載の音声システム。
【請求項１０】
前記電流検知回路は、音声周波数を遮断し、前記試験信号の周波数を通過させるように構成されたコンデンサを含む、請求項１に記載の音声システム。
【請求項１１】
ラウドスピーカを含む音声システムにおける動作方法であって、前記動作方法は、
目標音声信号および前記ラウドスピーカの振動板のおおよその変位を表すフィードバック信号に応じた調整された音声信号を音声ドライバによって生成するステップと、
前記ラウドスピーカを用いて前記調整された音声信号を音響音に変換するステップと、
前記目標音声信号よりも高い周波数を有する試験信号を生成するステップと、
調整された音声信号における変動を引起こす調整された電源を生成し、試験電流を前記ラウドスピーカに流れさせるために、前記音声ドライバの電源を前記試験信号で調整するステップと、
前記ラウドスピーカに流れる前記試験電流を測定するステップと、
前記試験電流を示す電流センス信号を生成するステップと、
前記電流センス信号に応じた前記フィードバック信号を生成するステップとを含む、動作方法。
【請求項１２】
前記電流センス信号の振幅を示す電流振幅信号を生成するステップをさらに含み、
前記フィードバック信号を生成するステップは、前記電流振幅信号に応じた前記フィードバック信号を生成するステップを含む、請求項１１に記載の方法。
【請求項１３】
前記フィードバック信号を生成するステップは、参照表を用いて前記電流振幅信号の値を前記フィードバック信号の値にマッピングすることによって生成されることを含む、請求項１２に記載の方法。
【請求項１４】
前記フィードバック信号は、前記電流振幅信号に対して非線形の関係を有するように生成される、請求項１２に記載の方法。
【請求項１５】
前記試験信号は、実質的に一定のピーク間の電圧振幅を有し、前記試験電流は、前記振動板が変位して、前記調整された音声信号を音響音に変換する際に経時変化する、請求項１１に記載の方法。
【請求項１６】
前記調整された音声信号と前記試験信号とを結合することによって結合信号を生成するステップと、
前記調整された音声信号に相当する前記結合信号の部分を音響音に変換するステップとをさらに含み、
前記試験信号に相当する前記結合信号の部分は、前記試験電流を前記ラウドスピーカに流れさせる、請求項１１に記載の方法。
【請求項１７】
前記調整された音声信号は、前記目標音声信号を前記フィードバック信号と比較し、前記調整された音声信号を生成することによって生成される、請求項１１に記載の方法。
【請求項１８】
前記調整された音声信号は、シングルエンド音声ドライバを用いて生成される、請求項１１に記載の方法。
【請求項１９】
前記調整された音声信号は、差動音声ドライバを用いて生成される、請求項１１に記載の方法。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
５’−Ｃ＊ＴＡＴＣ＊ＴＧＵＣ＊Ｇ１ＴＴＣ＊ＴＣ＊ＴＧＵ−３’および５’−ＣＴＡＴＣＴＧＵＣ＊Ｇ２ＴＴＣＴＣＴＧＵ−３’
［式中、Ｇ１＝７−デアザ−ｄＧ；Ｃ＊＝５−Ｍｅ−ｄＣ；Ｇ＝２’−Ｏ−Ｍｅ−Ｇ；Ｕ＝２’−Ｏ−Ｍｅ−Ｕ；Ｇ２＝ＡｒａＧ］
から選ばれる、免疫調節オリゴヌクレオチド（ＩＲＯ）化合物。
【請求項２】
請求項１に記載のＩＲＯ化合物および薬学的に許容される担体を含有する、医薬組成物。
【請求項３】
１またはそれ以上のワクチン、抗原、抗体、細胞毒性薬、アレルゲン、抗生物質、アンチセンスオリゴヌクレオチド、ＴＬＲアンタゴニスト、ペプチド、タンパク質、遺伝子療法ベクター、ＤＮＡワクチンまたはアジュバントをさらに含む、請求項２に記載の医薬組成物。
【請求項４】
哺乳動物のＴＬＲ９、ＴＬＲ７および／またはＴＬＲ８介在性免疫応答を阻害するために使用するための、請求項１に記載のＩＲＯ化合物または請求項２または３に記載の医薬組成物。
【請求項５】
ＴＬＲ９、ＴＬＲ７および／またはＴＬＲ８アゴニストの活性を阻害するために使用するための、請求項１に記載のＩＲＯ化合物または請求項２または３に記載の医薬組成物。
【請求項６】
ＩＲＯ化合物をＴＬＲ９、ＴＬＲ７および／またはＴＬＲ８アゴニストの前またはＴＬＲ９、ＴＬＲ７および／またはＴＬＲ８アゴニストと同時に投与することを含む、請求項５に記載のＩＲＯ化合物または医薬組成物。
【請求項７】
患者を治療的に処置するために使用するための、請求項１に記載のＩＲＯ化合物または請求項２または３に記載の医薬組成物。
【請求項８】
患者の疾患または障害を予防するために使用するための、請求項１に記載のＩＲＯ化合物または請求項２または３に記載の医薬組成物。
【請求項９】
該患者が自己免疫疾患を有する、請求項７または８に記載のＩＲＯ化合物または医薬組成物。
【請求項１０】
該自己免疫疾患が、乾癬、リウマチ性関節炎、全身性脱毛症、急性散在性脳脊髄炎、アジソン病、強直性脊椎炎、抗リン脂質抗体症候群、自己免疫性溶血性貧血、自己免疫性肝炎、水疱性類天疱瘡、シャーガス病、慢性閉塞性肺疾患、セリアック病、皮膚筋炎、子宮内膜症、グッドパスチャー症候群、グレーブス病、ギラン−バレー症候群、橋本病、汗腺膿瘍、特発性血小板減少性紫斑病、間質性膀胱炎、限局性強皮症、重症筋無力症、ナルコレプシー、神経ミオトニー、天疱瘡、悪性貧血、多発性筋炎、原発性胆汁性肝硬変、統合失調症、シェーグレン症候群、側頭動脈炎、脈管炎、白斑症、外陰部痛、ヴェグナー肉芽腫症、エリテマトーデス、多発性硬化症、Ｉ型糖尿病、過敏性大腸症候群、クローン病、または敗血症性ショックから選ばれる、請求項９に記載のＩＲＯ化合物または医薬組成物。
【請求項１１】
患者が癌を有する、請求項７または８に記載のＩＲＯ化合物または医薬組成物。
【請求項１２】
患者が炎症性障害を有する、請求項７または８に記載のＩＲＯ化合物または医薬組成物。
【請求項１３】
該炎症性障害が、気道炎症、喘息、自己免疫性疾患、慢性炎症、慢性前立腺炎、糸球体腎炎、ベーチェット病、過敏症、炎症性腸疾患、再潅流障害、リウマチ性関節炎、移植拒絶反応、潰瘍性大腸炎、ブドウ膜炎、結膜炎および脈管炎から選ばれる、請求項１２に記載のＩＲＯ化合物または医薬組成物。
【請求項１４】
該ＩＲＯ化合物または医薬組成物を、１またはそれ以上のワクチン、抗原、抗体、細胞毒性薬、アレルゲン、抗生物質、アンチセンスオリゴヌクレオチド、ＴＬＲアンタゴニスト、ペプチド、タンパク質、遺伝子療法ベクター、ＤＮＡワクチン、またはアジュバントと組み合わせて投与される、請求項４−１３のいずれかに記載のＩＲＯ化合物または医薬組成物。
【請求項１５】
該ＩＲＯ化合物または医薬組成物を、非経口、粘膜送達、経口、舌下、経皮、局所的、吸入、鼻腔内、エアロゾル、眼内、気管内、直腸内、膣内、遺伝子銃による、皮膚パッチ、または点眼薬もしくは口内洗浄液の形で投与される、請求項１−１４のいずれかに記載のＩＲＯ化合物または医薬組成物。